(57)【特許請求の範囲】
【請求項１】
個人のペースメーカーのＰ同期ペーシング（検知ないしセンシング信号）中に決定される最適なＡＶ遅延と心房ペーシング（ペーシング信号）中に決定される最適なＡＶ遅延の差（sensed-paced difference）（以下、「検知信号とペーシング信号の差」という）を決定する手段；
該ペースメーカーが上昇した心拍数で心房ペーシング（atrially pacing）する間に、第一の最適なＡＶ遅延を決定するための第一試験手段；及び
該第一試験手段によって決定される該第一の最適なＡＶ遅延から該検知信号とペーシング信号の差を引く（minus）計算をするための計算手段、
を含む、個人のペースメーカーをプログラミングするためのペースメーカープログラミング機器であって、
該ペースメーカーの検知信号とペーシング信号の差を決定する手段は、
該ペースメーカーが特定の心拍数でＰ同期ペーシング（P-synchronous pacing）する間に、第二の最適なＡＶ遅延を決定するための第二試験手段；
該ペースメーカーが特定の心拍数又は特定の心拍数に近似の心拍数で心房ペーシングする間に、第三の最適なＡＶ遅延を決定するための第三試験手段；
該第三試験手段によって測定される該第三の最適なＡＶ遅延から前記第二試験手段によって測定される該第二の最適のＡＶ遅延を差し引くことによって該検知信号とペーシング信号の差を計算するための計算手段を含む、
ペースメーカープログラミング機器。
【請求項２】
前記個人のペースメーカーと通信する手段をさらに含む請求項１に記載のペースメーカープログラミング機器。
【請求項３】
コンピュータを、
第二試験モジュールによってペースメーカーが特定の心拍数でＰ同期ペーシングする間に、第二の最適なＡＶ遅延を決定するための手段と、第三試験モジュールによって該ペースメーカーが特定の心拍数又は特定の心拍数に近似の心拍数で心房ペーシングする間に、第三の最適なＡＶ遅延を決定するための手段と、該第三試験モジュールによって決定される該第三の最適なＡＶ遅延から該第二試験モジュールによって決定される該第二の最適のＡＶ遅延を差し引くことによって検知信号とペーシング信号の差を計算するための手段とを含む個人のペースメーカーの検知信号とペーシング信号の差を決定するための手段；
第一試験モジュールにより、該ペースメーカーが上昇した心拍数で心房ペーシングする間に、第一の最適なＡＶ遅延を決定するための手段；及び
計算モジュールにより、該第一試験モジュールによって決定される該第一の最適なＡＶ遅延から該検知信号とペーシング信号の差を引く計算をするための手段
として機能させるためのペースメーカープログラミング機器のためのコンピュータプログラム。
【請求項４】
ペースメーカーを取り付けている個人の検知信号とペーシング信号の差を決定するための方法であって、該方法は以下のステップを含む：
ｉ）該ペースメーカーが特定の心拍数でＰ同期ペーシングする間に、（コンピュータによって実行される）第二試験手段が、第二の最適なＡＶ遅延を決定するステップ；
ｉｉ）該ペースメーカーが特定の心拍数又は特定の心拍数に近似の心拍数で心房ペーシングする間に、（前記コンピュータによって実行される）第三試験手段が、第三の最適なＡＶ遅延を決定するステップ；
ｉｉｉ）（前記コンピュータによって実行される）計算手段が、前記ステップｉ）で決定された前記第二の最適なＡＶ遅延と前記ステップｉｉ）で決定された前記第三の最適なＡＶ遅延との差を決定するステップ。
【請求項５】
個人のペースメーカーのための好ましいＡＶ遅延を決定する方法であって、該方法は以下のステップを含む：
ｉ）（コンピュータによって実行される）分析手段が、該個人のペースメーカーの検知信号とペーシング信号の差を決定するステップ（但し、該ステップｉ）は、以下のステップa）、b）およびc）を含む：
a）該ペースメーカーが特定の心拍数でＰ同期ペーシングする間に、（コンピュータによって実行される）第二試験手段が、第二の最適なＡＶ遅延を決定するステップ
b）該ペースメーカーが特定の心拍数又は特定の心拍数に近似の心拍数で心房ペーシングする間に、（前記コンピュータによって実行される）第三試験手段が、第三の最適なＡＶ遅延を決定するステップ
c）（前記コンピュータによって実行される）計算手段が、前記ステップa）で決定された前記第二の最適なＡＶ遅延と前記ステップb）で決定された前記第三の最適なＡＶ遅延との差を決定するステップ
）；
ｉｉ）該ペースメーカーが上昇した心拍数で心房ペーシングする間に、（前記コンピュータによって実行される）第一試験手段が、第一の最適なＡＶ遅延を決定するステップ；
ｉｉｉ）（前記コンピュータによって実行される）計算手段が、前記ステップｉ）で決定される検知信号とペーシング信号の差により、前記ステップｉｉ）で決定される前記第一の最適なＡＶ遅延を調節するステップ。
【請求項６】
前記上昇した心拍数は、９０と２００ｂｐｍとの間であることを特徴とする請求項１又は２に記載のペースメーカープログラミング機器。
【請求項７】
前記上昇した心拍数は、９０と２００ｂｐｍとの間であることを特徴とする請求項３に記載のコンピュータプログラム。
【請求項８】
前記上昇した心拍数は、９０と２００ｂｐｍとの間であることを特徴とする請求項５に記載の方法。
【請求項９】
前記ステップｉｉｉ）は、上昇した心拍数で決定した最適なＡＶ遅延から特定の心拍数又は特定の心拍数に近似の心拍数での心房ペーシング間に決定された最適なＡＶ遅延を減じ（minus）、該特定の心拍数でのＰ同期ペーシング間に決定された最適なＡＶ遅延を加える（plus）計算を含むことを特徴とする請求項５又は８に記載の方法。
【請求項１０】
請求項５、８または９のいずれか一項に記載の方法を実行することを含み、さらに、
ｉｖ）前記ステップｉｉｉ）で決定されたＡＶ遅延でペースメーカーをプログラミングするステップ
を含む個人のペースメーカーをプログラミングする方法。
【請求項１１】
前記ペースメーカーの前記第一、第二および第三の最適なＡＶ遅延は、個人の最高血圧を提供する、ＡＶ遅延であることを特徴とする請求項１、２または６のいずれか一項に記載のペースメーカープログラミング機器。
【請求項１２】
前記ペースメーカーの前記第一、第二および第三の最適なＡＶ遅延は、個人の最高血圧を提供する、ＡＶ遅延であることを特徴とする請求項３または７に記載のコンピュータプログラム。
【請求項１３】
前記ペースメーカーの前記第一、第二および第三の最適なＡＶ遅延は、個人の最高血圧を提供する、ＡＶ遅延であることを特徴とする請求項４、５、８乃至１０のいずれか一項に記載の方法。  
【請求項１４】
前記第一、第二および第三の最適なＡＶ遅延を決定することは、個人の血圧を測定する間にＡＶ遅延を変化させ、個人の最高血圧になるＡＶ遅延を決定することを含むことを特徴とする請求項１、２、６または１１のいずれか一項に記載のペースメーカープログラミング機器。
【請求項１５】
前記第一、第二および第三の最適なＡＶ遅延を決定することは、個人の血圧を測定する間にＡＶ遅延を変化させ、個人の最高血圧になるＡＶ遅延を決定することを含むことを特徴とする請求項３、７または１２のいずれか一項に記載のコンピュータプログラム。
【請求項１６】
前記第一、第二および第三の最適なＡＶ遅延を決定することは、個人の血圧を測定する間にＡＶ遅延を変化させ、個人の最高血圧になるＡＶ遅延を決定することを含むことを特徴とする請求項４、５、８乃至１０のいずれか一項に記載の方法。
【請求項１７】
前記第一、第二および第三の最適なＡＶ遅延は、個人の血圧において最大限の相対的増加（maximum relative increase）を提供する、試験ＡＶ遅延を決定するために、参照（reference）ＡＶ遅延と該試験ＡＶ遅延の範囲との間のペースメーカーのＡＶ遅延を変更することによって決定されることを特徴とする請求項１４に記載のペースメーカープログラミング機器。
【請求項１８】
前記第一、第二および第三の最適なＡＶ遅延は、個人の血圧において最大限の相対的増加（maximum relative increase）を提供する、試験ＡＶ遅延を決定するために、参照（reference）ＡＶ遅延と該試験ＡＶ遅延の範囲との間のペースメーカーのＡＶ遅延を変更することによって決定されることを特徴とする請求項１５に記載のコンピュータプログラム。
【請求項１９】
前記第一、第二および第三の最適なＡＶ遅延は、個人の血圧において最大限の相対的増加（maximum relative increase）を提供する、試験ＡＶ遅延を決定するために、参照（reference）ＡＶ遅延と該試験ＡＶ遅延の範囲との間のペースメーカーのＡＶ遅延を変更することによって決定されることを特徴とする請求項１６に記載の方法。
【請求項２０】
前記特定の心拍数は安静時心拍数（rest heart rate）であることを特徴とする請求項１、２、６、１１、１４または１７のいずれか一項に記載のペースメーカープログラミング機器。
【請求項２１】
前記特定の心拍数は安静時心拍数（rest heart rate）であることを特徴とする請求項３、７、１２、１５または１８のいずれか一項に記載のコンピュータプログラム。
【請求項２２】
前記特定の心拍数は安静時心拍数（rest heart rate）であることを特徴とする請求項４、５、８乃至１０、１３、１６または１９のいずれか一項に記載の方法。
【請求項２３】
前記安静時心拍数は、６０と１００ｂｐｍとの間であることを特徴とする請求項２０に記載のペースメーカープログラミング機器。
【請求項２４】
前記安静時心拍数は、６０と１００ｂｐｍとの間であることを特徴とする請求項２１に記載のコンピュータプログラム。
【請求項２５】
前記安静時心拍数は、６０と１００ｂｐｍとの間であることを特徴とする請求項２２に記載の方法。
【請求項２６】
前記特定の心拍数に近い心拍数は、該特定の心拍数の２０ｂｐｍ以内であることを特徴とする請求項１、２、６、１１、１４、１７、２０または２３のいずれか一項に記載のペースメーカープログラミング機器。
【請求項２７】
前記特定の心拍数に近い心拍数は、該特定の心拍数の２０ｂｐｍ以内であることを特徴とする請求項３、７、１２、１５、１８、２１または２４のいずれか一項に記載のコンピュータプログラム。
【請求項２８】
前記特定の心拍数に近い心拍数は、該特定の心拍数の２０ｂｐｍ以内であることを特徴とする請求項４、５、８乃至１０、１３、１６、１９、２２または２５のいずれか一項に記載の方法。
【請求項２９】
前記ステップｉｉｉ）は、前記ステップｉｉ）で決定された前記第三の最適なＡＶ遅延から前記ステップｉ）で決定された前記第二の最適なＡＶ遅延を差し引くことを含むことを特徴とする請求項４に記載の方法。
【請求項３０】
請求項３、７、１２、１５、１８、２１、２４または２７のいずれか一項に記載のコンピュータプログラムを実行するプロセッサをさらに含むことを特徴とする請求項１、２、６、１１、１４、１７、２０、２３または２６のいずれか一項に記載のペースメーカープログラミング機器。
【発明の詳細な説明】
【技術分野】
【０００１】
本発明は、ペースメーカープログラミング機器及びそのためのコンピュータプログラムに関する。本発明はまた、ペースメーカーを取り付けている個人の（心臓からのＰ同期ペーシングの電気信号の）検知ないしセンシング（信号）と（心臓をペーシングする該ペースメーカーからの心房ペーシングの電気信号の）ペーシング（信号）の差（sensed-paced difference）を決定する方法;ペースメーカーのためのＡＶ遅延(AV delay)を決定する方法;及び、ペースメーカーをプログラムする方法に関する。
【背景技術】
【０００２】
心室（人間の心臓の主なポンプチャンバー）の壁がもはや同期しない慢性心不全を患っている患者にペースメーカーを取り付けることは周知である。そのようなペースメーカーは、両室ないし両心室（biventricular）（又は再同期（resynchronising））ペースメーカーとして知られており、心臓再同期療法（cardiac resynchronization therapy）（CRT）に有効に作用するために用いられることができる。両室ペースメーカーは房室遅延（atrioventricular delay）を短縮して、心室性期外収縮（ventricular contractions）の同期性を改善するために心臓の左側と右側もいずれも刺激するが、それ自体は、心拍数を必ずしも変える必要性はない。適切な患者に対する両室ペースメーカーの取り付けは、心室内圧力（intraventricular pressure）のピーク上昇の増加、拍出量の増加、結果として、高い全身動脈圧（higher systemic arterial blood pressure）の増加を伴い、血行動態（haemodynamic）状態の迅速な改善をもたらすことが観察された。
【０００３】
原則として、実際、２種類の両室ペースメーカーがある。房−両室（atriobiventricular）ペースメーカーには、以下の３つの基本的な特質があり、それらの設定は調節されることができる。
【０００４】
１）心拍数。再同期ペースメーカーを備える多くの患者において、患者の本来の心拍数は満足しており、また、ペースメーカーは単に（患者の）本来の心拍数を継続するためにプログラムされる。他の患者において、（患者の）本来の心拍数はあまりにも低く、そして、ペースメーカーは高いレートでペースないし刺激（pace）するようにプログラムされる。両グループの患者において、例えば、患者が身体的な運動を受けるときに、ペースメーカーは、（患者の）本来の心拍数を続かせることと能動的に心拍数を制御することとの間で変化し得る。
【０００５】
２）房室（atrioventricular）（“ＡＶ”）遅延。これは、電気刺激を得ている心房と心室との間の時間間隔（time interval）である。ペースメーカーが最初に移植されるとき、多くの場合、この遅延は約１２０ｍｓに設定される。
【０００６】
３）左心室対右心室（“ＬＶ−ＲＶ”又は単に“ＶＶ”）遅延。これは、電気刺激を得ている左心室と右心室との間の時間間隔（time interval）である。ペースメーカーが製造されたとき、多くの場合、０ｍｓに設定される。幾つかの製造者は、スモールノンゼロ下限（small non-zero lower limit）（例えば、４ｍｓ）を有し、これは、実用上の目的において、０ｍｓとして処理できる。
【０００７】
他種類の両室ペースメーカーは、２つの心室リード（ventricular leads）を有するが、房室ペースメーカーとは異なり、単に、ＶＶ遅延の設定だけが調節でき、ＡＶ遅延の設定はできない。
【０００８】
特定の患者において、これらの特質、特に房室（ＡＶ）遅延に最適な設定を提供するために、多くの拠点ないしセンターは、ペースメーカープログラミングを選ぶ心エコー（echocardiographic）アプローチを使用する。最も一般的に使用される方法は、安静時心拍数において、心室収縮によって妨害されない完全な心房収縮に関連した、最も長いフィリングタイム（filling time）を測定することである。しかしながら、このアプローチに関する一つの問題は、このアプローチが、再同期ペースメーカーを有し慢性心不全を患う患者の血行動態を最適化することを示唆するデータがほとんどないということである。
【０００９】
血圧が両室ペーシングの開始で上昇することが観察され、したがって、患者の血圧を測定している間に、ペースメーカーの特質を調節することによって両室ペースメーカーの活動を最適化することは理論的に可能である。これらの状況において、血圧を測定するためにアームバンドカフを備える通常の血圧計の使用に関する問題は、各々の血圧測定が相当の時間を要し、実際には、多くの異なる測定が最適化プロセスの間にされなければならないということである。このように、この方法による最適化は、完全に非実用的である。
【００１０】
また、患者の血圧の侵襲性血行動態モニタリング（invasive haemodynamic monitoring）によって、両室ペースメーカーの特質を最適化する一方で、血圧を決定することも提案されている。しかしながら、このアプローチによる問題は、侵襲性血行動態モニタリングに含まれる臨床的な複雑さ及び侵襲性血行動態モニタリングと関連する些細でない（non-trivial）リスクないし危険が、通常の実施において、ペースメーカーの特質を設定するルーチンの最適化を不適切にするということである。
【００１１】
特許文献１は、ペースメーカーを取り付けた患者の血圧を測定するために、フィナプレス（finapres）などの非侵襲性手段（non-invasive means）を用いることによって、ペースメーカーの設定を最適化する方法を開示する。特許文献１は、患者の心拍数が上昇した間に、ペースメーカーの最適な設定を決定することが望ましいことも開示している。これは、運動する間に、心不全を患う患者が、通常は症状を現すからである。
【００１２】
【特許文献１】ＷＯ２００６／００８５３５
【発明の開示】
【発明が解決しようとする課題】
【００１３】
ペースメーカーの特性の設定を最適化する、そのような先行技術アプローチでの１つの問題は、最適化プロセスの間に、患者の運動によって心拍数を上昇させることをそれらアプローチが要求するということである。運動中の最適化は、現在利用できる方法を使用して技術的に困難であることが証明されている。侵襲性血行動態は、それらの侵襲的な性質のために適切でなく、また、心エコー技術は、運動中のイメージないし画像を獲得することの実際的な制限のために使用が制限されている。血行動態を決定するためにフィナプレスなどの非侵襲性手段が使用されたとしても、心拍数を上昇するために運動ができない患者にとって問題は未だに生じる。また、運動の最適化に施設ないし設備を利用できないセンターでも問題は生じる。
【００１４】
本発明は、特にペースメーカーを取り付けている患者のＡＶ遅延の最適化に関して、上記の問題を軽減することを目的とする。
【課題を解決するための手段】
【００１５】
本発明の一つの視点によると、個人のペースメーカーをプログラミングするためのペースメーカープログラミング機器が提供され、以下を含む：
個人のペースメーカーの（心臓からのＰ同期ペーシングの電気信号の）検知ないしセンシング（信号）と（心臓をペーシングする該ペースメーカーからの心房ペーシングの電気信号の）ペーシング（信号）の差（sensed-paced difference）（以下、「検知（信号）とペーシング（信号）の差」という）を決定する手段;
ペースメーカーが上昇した心拍数で心房ペーシング（atrially pacing）する間に、最適なＡＶ遅延を決定するための第一試験手段；及び
第一試験手段によって決定される最適なＡＶ遅延から検知（信号）とペーシング（信号）の差を引く（minus）計算をするための計算手段。
【００１６】
好都合なものとして、ペースメーカーの検知（信号）とペーシング（信号）の差を決定するための手段は、以下を含む：
ペースメーカーが特定の心拍数でＰ同期ペーシング（P-synchronous pacing）する間に、最適なＡＶ遅延を決定するための第二試験手段；
ペースメーカーが特定の心拍数又は特定の心拍数に近似の心拍数で心房ペーシングする間に、最適なＡＶ遅延を決定するための第三試験手段；
第三試験手段によって決定される最適なＡＶ遅延から第二試験手段によって決定される最適なＡＶ遅延を差し引くことによって検知（信号）とペーシング（信号）の差を計算する計算手段。
【００１７】
好ましくは、ペースメーカープログラミング機器は、さらに、個人のペースメーカーと通信する（communicate）手段をも含む。
【００１８】
本発明の別の視点によると、ペースメーカープログラミング機器のためのコンピュータプログラムが提供され、以下を含む：
個人のペースメーカーの検知（信号）とペーシング（信号）の差を決定するための分析モジュール；
ペースメーカーが上昇した心拍数で心房ペーシングする間に、最適なＡＶ遅延を決定するための第一試験モジュール；及び
第一試験モジュールによって決定される最適なＡＶ遅延から検知（信号）とペーシング（信号）の差を引く計算をするための計算モジュール。
【００１９】
有利には、分析モジュールは、以下を含む：
ペースメーカーが特定の心拍数でＰ同期ペーシングする間に、最適なＡＶ遅延を決定するための第二試験モジュール；及び
ペースメーカーが特定の心拍数又は特定の心拍数に近似の心拍数で心房ペーシングする間に、最適なＡＶ遅延を決定するための第三試験モジュール；
また、ここで、計算モジュールは、第三試験モジュールによって決定される最適なＡＶ遅延から第二試験モジュールによって決定される最適なＡＶ遅延を差し引くことによって検知（信号）とペーシング（信号）の差を計算する。
【００２０】
本発明の別の視点によると、ペースメーカーを取り付けている個人の検知（信号）とペーシング（信号）の差を決定するための方法が提供され、以下のステップを含む：
ｉ）ペースメーカーが特定の心拍数でＰ同期ペーシングする間に、最適なＡＶ遅延を決定するステップ；
ｉｉ）ペースメーカーが特定の心拍数又は特定の心拍数に近似の心拍数で心房ペーシングする間に、最適なＡＶ遅延を決定するステップ；
ｉｉｉ）ステップｉ）で決定された最適なＡＶ遅延とステップｉｉ）で決定された最適なＡＶ遅延との間の差を決定するステップ。
【００２１】
本発明のさらなる視点によると、個人のペースメーカーのための好ましいＡＶ遅延を決定する方法が提供され、以下のステップを含む：
ｉ）個人のペースメーカーの検知（信号）とペーシング（信号）の差を決定するステップ；
ｉｉ）ペースメーカーが上昇した心拍数で心房ペーシングする間に、最適なＡＶ遅延を決定するステップ；
ｉｉｉ）ステップｉ）で決定される検知（信号）とペーシング（信号）の差により、上記ステップｉｉ）で決定される最適なＡＶ遅延を調節するステップ。
【００２２】
好都合なものとして、上昇した心拍数は、９０と２００ｂｐｍとの間であり、好ましくは、９５と１１０ｂｐｍとの間である。
【００２３】
好ましくは、個人のペースメーカーのための好ましいＡＶ遅延を決定するための方法において、ステップｉ）は上述したように、個人の検知（信号）とペーシング（信号）の差を決定する方法を含み、またステップｉｉｉ）は、上昇した心拍数で決定した最適なＡＶ遅延から特定の心拍数又は特定の心拍数に近似の心拍数での心房ペーシング間に決定された最適なＡＶ遅延を減じ（minus）、特定の心拍数でのＰ同期ペーシング間に決定された最適なＡＶ遅延を加える（plus）計算を含む。
【００２４】
有利には、個人のペースメーカーをプログラミングする方法は、さらに、以下のステップを含む：
ｉｖ）ステップｉｉｉ）で決定されたＡＶ遅延によりペースメーカーをプログラミングする。
【００２５】
好都合なものとして、ペースメーカーの最適なＡＶ遅延は、個人の最高血圧を提供する、ＡＶ遅延である。
【００２６】
好ましくは、最適なＡＶ遅延を決定することは、個人の血圧を測定する間にＡＶ遅延を変化させ、個人の最高血圧になるＡＶ遅延を決定することを含む。
【００２７】
有利には、最適なＡＶ遅延は、個人の血圧において最大限の相対的増加（maximum relative increase）を提供する、試験ＡＶ遅延（test AV delay）を決定するために、参照（reference）ＡＶ遅延と試験ＡＶ遅延の範囲との間のペースメーカーのＡＶ遅延を変更することによって決定される。
【００２８】
好都合なものとして、特定の心拍数は安静時心拍数（rest heart rate）である。
【００２９】
好ましくは、安静時心拍数は、６０と１００ｂｐｍとの間であり、より好ましくは、６５と８０ｂｐｍとの間である。
【００３０】
有利には、特定の心拍数に近い心拍数は、その特定の心拍数の１０、１５又は２０ｂｐｍ以内であり、好ましくは、その特定の心拍数の５ｂｐｍ以内である。
【００３１】
好都合なものとして、個人の検知（信号）とペーシング（信号）の差を決定する方法において、ステップｉｉｉ）は、ステップｉｉ）で決定された最適なＡＶ遅延からステップｉ）で決定された最適なＡＶ遅延を差し引くことを含む。
【００３２】
ペースメーカープログラミング機器は、さらに、本発明のコンピュータプログラムを実行するプロセッサを含むことが好ましい。
【００３３】
この明細書において、個人のペースメーカーの“検知（信号）とペーシング（信号）の差”は、特定の個人の所与の心拍数で、同一のメカニカルな（心臓の）左側のＡＶ遅延（左心房と左心室の収縮間の遅延）を達成するために、Ｐ同期ペーシングと房室シーケンシャルペーシング（atrioventricular sequential pacing）（つまり、“心房”ペーシング）との間に要求されるプログラムされたＡＶ遅延の差を意味する。一つの実施態様において、これは、心房ペーシングと比較してＰ同期ペーシングによって、個人の最高血圧を達成することを要求されるＡＶ遅延における差を決定することによって達成される。即ち、“検知（信号）とペーシング（信号）の差”は、患者においてＰ同期ペーシング（つまり、検知ないしセンシング信号）中に決定される最適なＡＶ遅延と心房ペーシング（つまり、ペーシング信号）中に決定される最適なＡＶ遅延との差を意味する。また、ペースメーカーが上昇した心拍数で心房ペーシングする間に、第一試験手段によって決定される最適なＡＶ遅延を、単に、第一の最適なＡＶ遅延と、ペースメーカーが特定の心拍数でＰ同期ペーシングする間に、第二試験手段によって決定される最適なＡＶ遅延を、単に、第二の最適なＡＶ遅延と、ペースメーカーが特定の心拍数又は特定の心拍数に近似の心拍数で心房ペーシングする間に、第三試験手段によって決定される最適なＡＶ遅延を、単に、第三の最適なＡＶ遅延と、便宜的に呼ぶこともできる。
【００３４】
本発明がより理解され、本発明のさらなる特徴がさらに十分に認識されるために、本発明の実施態様は添付の図面を参照してここに記載される。ここに、まとめとして、本発明の好ましい実施の形態（シリーズＩ及びＩＩ）を示す。
シリーズＩ
［形態１］
個人のペースメーカーのＰ同期ペーシング（検知ないしセンシング信号）中に決定される最適なＡＶ遅延と心房ペーシング（ペーシング信号）中に決定される最適なＡＶ遅延の差（sensed-paced difference）（以下、「検知信号とペーシング信号の差」という）を決定する手段；
該ペースメーカーが上昇した心拍数で心房ペーシング（atrially pacing）する間に、最適なＡＶ遅延を決定するための第一試験手段；及び
該第一試験手段によって決定される該最適なＡＶ遅延から該検知信号とペーシング信号の差を引く（minus）計算をするための計算手段、
を含む、個人のペースメーカーをプログラミングするためのペースメーカープログラミング機器であって、
該ペースメーカーの検知信号とペーシング信号の差を決定する手段は、
該ペースメーカーが特定の心拍数でＰ同期ペーシング（P-synchronous pacing）する間に、最適なＡＶ遅延を決定するための第二試験手段；
該ペースメーカーが特定の心拍数又は特定の心拍数に近似の心拍数で心房ペーシングする間に、最適なＡＶ遅延を決定するための第三試験手段；
該第三試験手段によって測定される最適なＡＶ遅延から前記第二試験手段によって測定される最適のＡＶ遅延を差し引くことによって該検知信号とペーシング信号の差を計算するための計算手段を含む、
ペースメーカープログラミング機器。
［形態２］
前記個人のペースメーカーと通信する手段をさらに含む形態１に記載のペースメーカープログラミング機器。
［形態３］
コンピュータに、下記手段：
分析モジュールにより、個人のペースメーカーの検知信号とペーシング信号の差を決定する手段；
第一試験モジュールにより、ペースメーカーが上昇した心拍数で心房ペーシングする間に、最適なＡＶ遅延を決定する手段；及び
計算モジュールにより、該第一試験モジュールによって決定される該最適なＡＶ遅延から該検知信号とペーシング信号の差を引く計算をする手段
を実行させる、ペースメーカープログラミング機器のためのコンピュータプログラム。
［形態４］
前記分析モジュールは、
ペースメーカーが特定の心拍数でＰ同期ペーシングする間に、最適なＡＶ遅延を決定するための第二試験モジュール；及び
該ペースメーカーが特定の心拍数又は特定の心拍数に近似の心拍数で心房ペーシングする間に、最適なＡＶ遅延を決定するための第三試験モジュール；
を含み、ここで、前記計算モジュールは、該第三試験モジュールによって決定される最適なＡＶ遅延から該第二試験モジュールによって決定される最適なＡＶ遅延を差し引くことによって前記検知信号とペーシング信号の差を計算することを特徴とする形態３に記載のコンピュータプログラム。
［形態５］
ペースメーカーを取り付けている個人の検知信号とペーシング信号の差を決定するための方法であって、該方法は以下のステップを含む：
ｉ）該ペースメーカーが特定の心拍数でＰ同期ペーシングする間に、（コンピュータによって実行される）第二試験手段が、最適なＡＶ遅延を決定するステップ；
ｉｉ）該ペースメーカーが該特定の心拍数又は特定の心拍数に近似の心拍数で心房ペーシングする間に、（前記コンピュータによって実行される）第三試験手段が、最適なＡＶ遅延を決定するステップ；
ｉｉｉ）（前記コンピュータによって実行される）計算手段が、該ステップｉ）で決定された最適なＡＶ遅延と該ステップｉｉ）で決定された最適なＡＶ遅延との差を決定するステップ。
［形態６］
個人のペースメーカーのための好ましいＡＶ遅延を決定する方法であって、該方法は以下のステップを含む：
ｉ）（コンピュータによって実行される）分析手段が、該個人のペースメーカーの検知信号とペーシング信号の差を決定するステップ；
ｉｉ）該ペースメーカーが上昇した心拍数で心房ペーシングする間に、（前記コンピュータによって実行される）第一試験手段が、最適なＡＶ遅延を決定するステップ；
ｉｉｉ）（前記コンピュータによって実行される）計算手段が、該ステップｉ）で決定される検知信号とペーシング信号の差により、該ステップｉｉ）で決定される最適なＡＶ遅延を調節するステップ。
［形態７］
前記上昇した心拍数は、９０と２００ｂｐｍとの間であることを特徴とする形態１又は２に記載のペースメーカープログラミング機器。
［形態８］
前記上昇した心拍数は、９０と２００ｂｐｍとの間であることを特徴とする形態３又は４に記載のコンピュータプログラム。
［形態９］
前記上昇した心拍数は、９０と２００ｂｐｍとの間であることを特徴とする形態６に記載の方法。
［形態１０］
前記ステップｉ）は形態５の方法を含んで、及び、前記ステップｉｉｉ）は、上昇した心拍数で決定した最適なＡＶ遅延から特定の心拍数又は特定の心拍数に近似の心拍数での心房ペーシング間に決定された最適なＡＶ遅延を減じ（minus）、該特定の心拍数でのＰ同期ペーシング間に決定された最適なＡＶ遅延を加える（plus）計算を含むことを特徴とする形態６又は９に記載の方法。
［形態１１］
形態６、９または１０のいずれか一つに記載の方法を実行することを含み、さらに、
ｉｖ）ステップｉｉｉ）で決定されたＡＶ遅延でペースメーカーをプログラミングするステップ
を含む個人のペースメーカーをプログラミングする方法。
［形態１２］
前記ペースメーカーの最適なＡＶ遅延は、個人の最高血圧を提供する、ＡＶ遅延であることを特徴とする形態１、２または７のいずれか一に記載のペースメーカープログラミング機器。
［形態１３］
前記ペースメーカーの最適なＡＶ遅延は、個人の最高血圧を提供する、ＡＶ遅延であることを特徴とする形態３、４または８のいずれか一に記載のコンピュータプログラム。
［形態１４］
前記ペースメーカーの最適なＡＶ遅延は、個人の最高血圧を提供する、ＡＶ遅延であることを特徴とする形態５、６、９乃至１１のいずれか一に記載の方法。
［形態１５］
前記最適なＡＶ遅延を決定することは、個人の血圧を測定する間にＡＶ遅延を変化させ、個人の最高血圧になるＡＶ遅延を決定することを含むことを特徴とする形態１、２、７または１２のいずれか一に記載のペースメーカープログラミング機器。
［形態１６］
前記最適なＡＶ遅延を決定することは、個人の血圧を測定する間にＡＶ遅延を変化させ、個人の最高血圧になるＡＶ遅延を決定することを含むことを特徴とする形態３、４、８または１３のいずれか一に記載のコンピュータプログラム。
［形態１７］
前記最適なＡＶ遅延を決定することは、個人の血圧を測定する間にＡＶ遅延を変化させ、個人の最高血圧になるＡＶ遅延を決定することを含むことを特徴とする形態５、６、９乃至１１、１４のいずれか一に記載の方法。
［形態１８］
前記最適なＡＶ遅延は、個人の血圧において最大限の相対的増加（maximum relative increase）を提供する、試験ＡＶ遅延を決定するために、参照（reference）ＡＶ遅延と該試験ＡＶ遅延の範囲との間のペースメーカーのＡＶ遅延を変更することによって決定されることを特徴とする形態１５に記載のペースメーカープログラミング機器。
［形態１９］
前記最適なＡＶ遅延は、個人の血圧において最大限の相対的増加（maximum relative increase）を提供する、試験ＡＶ遅延を決定するために、参照（reference）ＡＶ遅延と該試験ＡＶ遅延の範囲との間のペースメーカーのＡＶ遅延を変更することによって決定されることを特徴とする形態１６に記載のコンピュータプログラム。
［形態２０］
前記最適なＡＶ遅延は、個人の血圧において最大限の相対的増加（maximum relative increase）を提供する、試験ＡＶ遅延を決定するために、参照（reference）ＡＶ遅延と該試験ＡＶ遅延の範囲との間のペースメーカーのＡＶ遅延を変更することによって決定されることを特徴とする形態１７に記載の方法。
［形態２１］
前記特定の心拍数は安静時心拍数（rest heart rate）であることを特徴とする形態１、２、７、１２、１５または１８のいずれか一に記載のペースメーカープログラミング機器。
［形態２２］
前記特定の心拍数は安静時心拍数（rest heart rate）であることを特徴とする形態３、４、８、１３、１６または１９のいずれか一に記載のコンピュータプログラム。
［形態２３］
前記特定の心拍数は安静時心拍数（rest heart rate）であることを特徴とする形態５、６、９乃至１１、１４、１７または２０のいずれか一に記載の方法。
［形態２４］
前記安静時心拍数は、６０と１００ｂｐｍとの間であることを特徴とする形態２１に記載のペースメーカープログラミング機器。
［形態２５］
前記安静時心拍数は、６０と１００ｂｐｍとの間であることを特徴とする形態２２に記載のコンピュータプログラム。
［形態２６］
前記安静時心拍数は、６０と１００ｂｐｍとの間であることを特徴とする形態２３に記載の方法。
［形態２７］
前記特定の心拍数に近い心拍数は、該特定の心拍数の２０ｂｐｍ以内であることを特徴とする形態１、２、７、１２、１５、１８、２１または２４のいずれか一に記載のペースメーカープログラミング機器。
［形態２８］
前記特定の心拍数に近い心拍数は、該特定の心拍数の２０ｂｐｍ以内であることを特徴とする形態３、４、８、１３、１６、１９、２２または２５のいずれか一に記載のコンピュータプログラム。
［形態２９］
前記特定の心拍数に近い心拍数は、該特定の心拍数の２０ｂｐｍ以内であることを特徴とする形態５、６、９乃至１１、１４、１７、２０、２３または２６のいずれか一に記載の方法。
［形態３０］
前記ステップｉｉｉ）は、ステップｉｉ）で決定された最適なＡＶ遅延からステップｉ）で決定された最適なＡＶ遅延を差し引くことを含むことを特徴とする形態５に記載の方法。
［形態３１］
形態３、４、８、１３、１６、１９、２２、２５または２８のいずれか一に記載のコンピュータプログラムでプログラムされるプロセッサをさらに含むことを特徴とする形態１、２、７、１２、１５、１８、２１、２４または２７のいずれか一に記載のペースメーカープログラミング機器。
シリーズＩＩ
［形態１］
個人のペースメーカーのＰ同期ペーシング（検知ないしセンシング信号）中に決定される最適なＡＶ遅延と心房ペーシング（ペーシング信号）中に決定される最適なＡＶ遅延の差（sensed-paced difference）（以下、「検知信号とペーシング信号の差」という）を決定する手段；
該ペースメーカーが上昇した心拍数で心房ペーシング（atrially pacing）する間に、第一の最適なＡＶ遅延を決定するための第一試験手段；及び
該第一試験手段によって決定される該第一の最適なＡＶ遅延から該検知信号とペーシング信号の差を引く（minus）計算をするための計算手段、
を含む、個人のペースメーカーをプログラミングするためのペースメーカープログラミング機器であって、
該ペースメーカーの検知信号とペーシング信号の差を決定する手段は、
該ペースメーカーが特定の心拍数でＰ同期ペーシング（P-synchronous pacing）する間に、第二の最適なＡＶ遅延を決定するための第二試験手段；
該ペースメーカーが特定の心拍数又は特定の心拍数に近似の心拍数で心房ペーシングする間に、第三の最適なＡＶ遅延を決定するための第三試験手段；
該第三試験手段によって測定される該第三の最適なＡＶ遅延から前記第二試験手段によって測定される該第二の最適のＡＶ遅延を差し引くことによって該検知信号とペーシング信号の差を計算するための計算手段を含む、
ペースメーカープログラミング機器。
［形態２］
前記個人のペースメーカーと通信する手段をさらに含む形態１のペースメーカープログラミング機器。
［形態３］
コンピュータを、
第二試験モジュールによってペースメーカーが特定の心拍数でＰ同期ペーシングする間に、第二の最適なＡＶ遅延を決定するための手段と、第三試験モジュールによって該ペースメーカーが特定の心拍数又は特定の心拍数に近似の心拍数で心房ペーシングする間に、第三の最適なＡＶ遅延を決定するための手段と、該第三試験モジュールによって決定される該第三の最適なＡＶ遅延から該第二試験モジュールによって決定される該第二の最適のＡＶ遅延を差し引くことによって検知信号とペーシング信号の差を計算するための手段とを含む個人のペースメーカーの検知信号とペーシング信号の差を決定するための手段；
第一試験モジュールにより、該ペースメーカーが上昇した心拍数で心房ペーシングする間に、第一の最適なＡＶ遅延を決定するための手段；及び
計算モジュールにより、該第一試験モジュールによって決定される該第一の最適なＡＶ遅延から該検知信号とペーシング信号の差を引く計算をするための手段
として機能させるためのペースメーカープログラミング機器のためのコンピュータプログラム。
［形態４］
ペースメーカーを取り付けている個人の検知信号とペーシング信号の差を決定するための方法であって、該方法は以下のステップを含む：
ｉ）該ペースメーカーが特定の心拍数でＰ同期ペーシングする間に、（コンピュータによって実行される）第二試験手段が、第二の最適なＡＶ遅延を決定するステップ；
ｉｉ）該ペースメーカーが特定の心拍数又は特定の心拍数に近似の心拍数で心房ペーシングする間に、（前記コンピュータによって実行される）第三試験手段が、第三の最適なＡＶ遅延を決定するステップ；
ｉｉｉ）（前記コンピュータによって実行される）計算手段が、前記ステップｉ）で決定された前記第二の最適なＡＶ遅延と前記ステップｉｉ）で決定された前記第三の最適なＡＶ遅延との差を決定するステップ。
［形態５］
個人のペースメーカーのための好ましいＡＶ遅延を決定する方法であって、該方法は以下のステップを含む：
ｉ）（コンピュータによって実行される）分析手段が、該個人のペースメーカーの検知信号とペーシング信号の差を決定するステップ（但し、該ステップｉ）は、以下のステップa）、b）およびc）を含む：
a）該ペースメーカーが特定の心拍数でＰ同期ペーシングする間に、（コンピュータによって実行される）第二試験手段が、第二の最適なＡＶ遅延を決定するステップ
b）該ペースメーカーが特定の心拍数又は特定の心拍数に近似の心拍数で心房ペーシングする間に、（前記コンピュータによって実行される）第三試験手段が、第三の最適なＡＶ遅延を決定するステップ
c）（前記コンピュータによって実行される）計算手段が、前記ステップa）で決定された前記第二の最適なＡＶ遅延と前記ステップb）で決定された前記第三の最適なＡＶ遅延との差を決定するステップ
）；
ｉｉ）該ペースメーカーが上昇した心拍数で心房ペーシングする間に、（前記コンピュータによって実行される）第一試験手段が、第一の最適なＡＶ遅延を決定するステップ；
ｉｉｉ）（前記コンピュータによって実行される）計算手段が、前記ステップｉ）で決定される検知信号とペーシング信号の差により、前記ステップｉｉ）で決定される前記第一の最適なＡＶ遅延を調節するステップ。
［形態６］
前記上昇した心拍数は、９０と２００ｂｐｍとの間であることを特徴とする形態１又は２のペースメーカープログラミング機器。
［形態７］
前記上昇した心拍数は、９０と２００ｂｐｍとの間であることを特徴とする形態３のコンピュータプログラム。
［形態８］
前記上昇した心拍数は、９０と２００ｂｐｍとの間であることを特徴とする形態５に記載の方法。
［形態９］
前記ステップｉｉｉ）は、上昇した心拍数で決定した最適なＡＶ遅延から特定の心拍数又は特定の心拍数に近似の心拍数での心房ペーシング間に決定された最適なＡＶ遅延を減じ（minus）、該特定の心拍数でのＰ同期ペーシング間に決定された最適なＡＶ遅延を加える（plus）計算を含むことを特徴とする形態５又は８の方法。
［形態１０］
形態５、８または９のいずれか一項に記載の方法を実行することを含み、さらに、
ｉｖ）前記ステップｉｉｉ）で決定されたＡＶ遅延でペースメーカーをプログラミングするステップ
を含む個人のペースメーカーをプログラミングする方法。
［形態１１］
前記ペースメーカーの前記第一、第二および第三の最適なＡＶ遅延は、個人の最高血圧を提供する、ＡＶ遅延であることを特徴とする形態１、２または６のいずれか一のペースメーカープログラミング機器。
［形態１２］
前記ペースメーカーの前記第一、第二および第三の最適なＡＶ遅延は、個人の最高血圧を提供する、ＡＶ遅延であることを特徴とする形態３または７のコンピュータプログラム。
［形態１３］
前記ペースメーカーの前記第一、第二および第三の最適なＡＶ遅延は、個人の最高血圧を提供する、ＡＶ遅延であることを特徴とする形態４、５、８乃至１０のいずれか一の方法。
［形態１４］
前記第一、第二および第三の最適なＡＶ遅延を決定することは、個人の血圧を測定する間にＡＶ遅延を変化させ、個人の最高血圧になるＡＶ遅延を決定することを含むことを特徴とする形態１、２、６または１１のいずれか一のペースメーカープログラミング機器。
［形態１５］
前記第一、第二および第三の最適なＡＶ遅延を決定することは、個人の血圧を測定する間にＡＶ遅延を変化させ、個人の最高血圧になるＡＶ遅延を決定することを含むことを特徴とする形態３、７または１２のいずれか一のコンピュータプログラム。
［形態１６］
前記第一、第二および第三の最適なＡＶ遅延を決定することは、個人の血圧を測定する間にＡＶ遅延を変化させ、個人の最高血圧になるＡＶ遅延を決定することを含むことを特徴とする形態４、５、８乃至１０のいずれか一の方法。
［形態１７］
前記第一、第二および第三の最適なＡＶ遅延は、個人の血圧において最大限の相対的増加（maximum relative increase）を提供する、試験ＡＶ遅延を決定するために、参照（reference）ＡＶ遅延と該試験ＡＶ遅延の範囲との間のペースメーカーのＡＶ遅延を変更することによって決定されることを特徴とする形態１４のペースメーカープログラミング機器。
［形態１８］
前記第一、第二および第三の最適なＡＶ遅延は、個人の血圧において最大限の相対的増加（maximum relative increase）を提供する、試験ＡＶ遅延を決定するために、参照（reference）ＡＶ遅延と該試験ＡＶ遅延の範囲との間のペースメーカーのＡＶ遅延を変更することによって決定されることを特徴とする形態１５のコンピュータプログラム。
［形態１９］
前記第一、第二および第三の最適なＡＶ遅延は、個人の血圧において最大限の相対的増加（maximum relative increase）を提供する、試験ＡＶ遅延を決定するために、参照（reference）ＡＶ遅延と該試験ＡＶ遅延の範囲との間のペースメーカーのＡＶ遅延を変更することによって決定されることを特徴とする形態１６の方法。
［形態２０］
前記特定の心拍数は安静時心拍数（rest heart rate）であることを特徴とする形態１、２、６、１１、１４または１７のいずれか一のペースメーカープログラミング機器。
［形態２１］
前記特定の心拍数は安静時心拍数（rest heart rate）であることを特徴とする形態３、７、１２、１５または１８のいずれか一のコンピュータプログラム。
［形態２２］
前記特定の心拍数は安静時心拍数（rest heart rate）であることを特徴とする形態４、５、８乃至１０、１３、１６または１９のいずれか一の方法。
［形態２３］
前記安静時心拍数は、６０と１００ｂｐｍとの間であることを特徴とする形態２０のペースメーカープログラミング機器。
［形態２４］
前記安静時心拍数は、６０と１００ｂｐｍとの間であることを特徴とする形態２１のコンピュータプログラム。
［形態２５］
前記安静時心拍数は、６０と１００ｂｐｍとの間であることを特徴とする形態２２の方法。
［形態２６］
前記特定の心拍数に近い心拍数は、該特定の心拍数の２０ｂｐｍ以内であることを特徴とする形態１、２、６、１１、１４、１７、２０または２３のいずれか一のペースメーカープログラミング機器。
［形態２７］
前記特定の心拍数に近い心拍数は、該特定の心拍数の２０ｂｐｍ以内であることを特徴とする形態３、７、１２、１５、１８、２１または２４のいずれか一のコンピュータプログラム。
［形態２８］
前記特定の心拍数に近い心拍数は、該特定の心拍数の２０ｂｐｍ以内であることを特徴とする形態４、５、８乃至１０、１３、１６、１９、２２または２５のいずれか一の方法。
［形態２９］
前記ステップｉｉｉ）は、前記ステップｉｉ）で決定された前記第三の最適なＡＶ遅延から前記ステップｉ）で決定された前記第二の最適なＡＶ遅延を差し引くことを含むことを特徴とする形態４の方法。
［形態３０］
形態３、７、１２、１５、１８、２１、２４または２７のいずれか一のコンピュータプログラムを実行するプロセッサをさらに含むことを特徴とする形態１、２、６、１１、１４、１７、２０、２３または２６のいずれか一のペースメーカープログラミング機器。
【発明を実施するための最良の形態】
【００３５】
図１を参照するに、本発明の一実施態様がここに記載される。患者１は、両室ペースメーカー２を取り付けている。ペースメーカー２のＡＶ遅延の設定を最適化するために、フィナプレス（ないし指先カフ）３は患者の人差し指４に取り付けられ、次いで、（フィナプレスは）プロセッサ５に接続される。プロセッサは、フィナプレス３からの入力から、個人の血圧を計算するようにプログラムされる。
【００３６】
プロセッサ５はまた、患者１の身体の外側に位置するトランスミッタ６にも接続されるが、トランスミッタがペースメーカー２と通信するように、埋め込んだペースメーカー２と隣接して配される。
【００３７】
プロセッサ５は、ペースメーカー２のＡＶ遅延を調節し、フィナプレス３から受けた入力からＡＶ遅延を設定（setting）するごとに患者の血圧を評価するようにプログラムされる。
【００３８】
両室ペースメーカー２が２つの異なる手法：Ｐ同期ペーシングと房室シーケンシャルペーシングで、患者１の心臓を（刺激ないし）ペーシングできることが認識されるべきである。Ｐ同期ペーシングにおいて、患者の心房は心房自体を活性化させる。この活性化は、ペースメーカー２によって検知され、短い遅延の後、次いで、心室が（刺激ないし）ペーシング（paced）される。検知される心房の活性化とペーシング（刺激）される心室との間に遅延がある。
【００３９】
房室シーケンシャルペーシングにおいては、心房自身が活性化する代わりに、心房はペースメーカーによってペーシングされる。
【００４０】
したがって、房室シーケンシャルペーシングは、個人の心拍数を、運動中に通常達成されるレート（例えば、１００ｂｐｍ）まで高めるために使用できる。このように、房室シーケンシャルペーシングは、運動中の心臓の活動をシミュレーションするために使用できる。本発明者等によって、ペースメーカーのＡＶ遅延は、患者が運動している時におかれる状況のために最大限に最適化されることが見出された。しかしながら、患者が自然に運動している時、ペースメーカーは、患者の心臓のＰ同期ペーシングに携わっている（engaged）であろう。したがって、実際の運動中の患者の正確なモデルを提供するために最適化がシミュレーションされた運動中に実行される際、モデルは、Ｐ同期ペーシング（検知（sensed））のＡＶ遅延と房室シーケンシャルペーシング（ペーシング（paced））のＡＶ遅延との間のペーシング（信号）の差を考慮しなければならない。この“検知（信号）とペーシング（信号）”の（時間的）差（sensed-paced difference）は、患者から患者へと変化し、したがって、各患者での検知（信号）とペーシング（信号）の差を決定する必要がある。
【００４１】
特に、ＡＶ遅延がペースメーカーでプログラムされるとき、これは（心臓の）右側のＡＶ遅延を意味する点に注意することが重要である。それは、しかしながら、全身的な血行動態に支配的な影響を及ぼす左心房と左心室との間のメカニカルな収縮の遅延（mechanical contraction delay）である。（参考文献１、２、３）
【００４２】
Ｐ同期ペーシングと房室シーケンシャルペーシングとの間に考慮されるべき３つの原理的な違いがあり、それらは、心房センシング遅延（atrial sensing delay）、心房ペーシング・レイテンシー（atrial pacing latency）、及び心房内（intra-atrial）遅延である。
【００４３】
心房センシング遅延
Ｐ同期ペーシング中に、プログラムされた（心臓の）右側のＡＶ遅延は、実際の（心臓の）右側のＡＶ遅延よりも短い。これは、ペースメーカーは、一旦、脱分極の振幅が特定のサイズに達するとき、単に、心房の脱分極の開始を検知するだけであるからである。これが、心房の脱分極の開始の検知における時間のずれ（ないしタイムラグ）（time lag）に結果としてなる;心房センシング遅延（図２ａ）。
【００４４】
心房ペーシング・レイテンシー
右心房からペーシングするとき、ペーシング刺激（pacing stimulus）の心房の脱分極の開始への伝達ないしデリバリー（delivery）時からの遅延がある（いわゆる、心房ペーシング・レイテンシー（潜伏期間））。これは、実際の（心臓の）右側のＡＶ遅延が、プログラムされたＡＶ遅延よりも僅かに短いことを意味する。（図２ｂ）
心房内遅延
左心房の活性化のために要する時間は、活性化が固有（内因性）の心房活動又は心房ペーシングによって開始されるかどうかに依存して異なる。一般的には、内因性の活性化と比較して、心房内遅延は、心房のペーシング拍動（atrial paced beat）において長い。この遅延は、効果的でない心房内伝導（conduction）によると思われる。ペーシング（活性化）と検知（センシング）活性化（paced and sensed activation）との間の心房内遅延の差は、患者特異的であると認められ（参考文献１、２、３）、それらは、根本的な伝導、リード位置、心房サイズ及び機能における違いを反映するものである。心拍数が変更されるとき、心房内伝導時間は、比較的一定に維持される。（参考文献５）
【００４５】
要約すれば、心拍出量及び全身的血行動態のＡＶ遅延の最適化の効果は、左心房と左心室との間隔に最終的に依存する。しかしながら、ペースメーカーによってプログラムされるのは、（心臓の）右側のＡＶ遅延である。Ｐ同期ペーシング（検知のＡＶ遅延（sensed AV delay））において、実際の（心臓の）右側のＡＶ遅延は、心房脱分極の開始を検知するペースメーカーのために要する時間のためにプログラムされた遅延よりも僅かに長い（心房センシング遅延）。図２ａに示されるように、右心房をペーシングするとき、実際の（心臓の）右側のＡＶ遅延は、プログラムされたＡＶ遅延よりも短く、その理由は、心房脱分極の開始まで短いレイテンシーが存在するからである。これらの違いに加えて、（心臓の）左側のＡＶ遅延のために利用可能な時間は、Ｐ同期ペーシングと比較して、心房ペーシング中に短くなる。その理由は、図２ｂに示されるように心房ペーシングでは長い心房内伝導時間（prolonged interatrial conduction time）となる傾向があるためである。したがって、同一の（心臓の）左側のＡＶ遅延を達成するためには、より長いペーシングＡＶ遅延（a longer paced AV delay）を、図２ｃに示されるようにプログラムすることを必要とする。
【００４６】
したがって、患者１はペースメーカー２を取り付けられた後、使用において、患者１はペースメーカー２のＡＶ遅延の設定の最適化の過程を受ける。これを行うために、患者の血圧は、フィナプレス３の取り付けによって非侵襲的にモニターされ、フィナプレス３はプロセッサ５に接続されている。プロセッサ５は、次に、トランスミッタ６を介してペースメーカー２と通信する。
【００４７】
第一ステップは、患者１の検知（信号）とペーシング（信号）の差を決定することである。安静時の心拍数（典型的には、６５乃至８０ｂｐｍの範囲）で、ペースメーカー２はプロセッサ５によってＰ同期ペーシングに設定される。次いで、患者１の血圧がフィナプレス３を通してモニターされる間に、ペースメーカー２のＡＶ遅延はプロセッサ５によって調節される。
【００４８】
例えば、一の特に好ましい実施態様において、プロセッサ５は、ペースメーカー２を所定数の心拍（例えば、１０心拍）に亘る試験期間の間、ＡＶ遅延の参照設定に設定し、その間に患者の血圧が測定される。試験期間の後、ＡＶ遅延の設定は第一試験の設定に変化され、また患者１の血圧は第二試験期間の間に測定される。次いで、ペースメーカーは、第三試験期間の間に参照設定に戻され、その間に患者の血圧が決定される。続いて、ペースメーカーのＡＶ遅延は、別の試験期間の間に第二試験設定に調節され、その間に患者１の血圧が測定される。参照設定と試験設定の範囲との間を交互するペースメーカー２のＡＶ遅延の設定により、このプロセスは繰り返される。例えば、参照設定は１２０ｍｓのＡＶ遅延を表し、また、試験設定は４０ｍｓずつ段階的に４０乃至２４０ｍｓの範囲を表し得る。この方法を使用することによって、各試験設定は、参照設定の直前直後での血圧と比較でき、これにより、達成される血圧の変化、又は、換言すると、“相対的な有益性”を明らかにする。これは、血圧における何らかの徐々の傾向（変化）の影響を除外する。血圧に最大の相対的な増大をもたらすＡＶ遅延は、このように、最適なＡＶ遅延である。最適なＡＶ遅延を測定することに関するさらなる議論は、参照によって本明細書に組み込まれる特許文献１に開示されている。
【００４９】
Ｐ同期ペーシングの間に患者のための最適なＡＶ遅延が一旦決定されると、プロセッサはペースメーカー２を心房ペーシングに切り替え、患者のためのＡＶ遅延を最適化するプロセスを繰り返す。この最適化プロセスは、安静時の心拍数でも実行される。しかしながら、実際には、心房ペーシングを受けている患者の安静時の心拍数は、Ｐ同期ペーシングを受けている患者１の本来の自然な安静時の心拍数よりもわずかに高いはずである（例えば、５乃至１０ｂｐｍ）。これは、心房ペーシングが、もしそうでなければ、心臓が本来生じるペーシングと干渉し、それゆえペーシングの活性化よりもむしろ活動の阻害になり得るからである。
【００５０】
患者のための最適なＡＶ遅延が心房ペーシングの間に一旦決定されると、検知（信号）とペーシング（信号）の差は、Ｐ同期ペーシングの間に決定された最適なＡＶ遅延と、心房ペーシングの間に決定された最適なＡＶ遅延との差を決定することによって計算される。より詳細には、Ｐ同期ペーシングの間に決定された最適なＡＶ遅延は、心房ペーシングの間に決定された最適なＡＶ遅延から差し引かれる。
【００５１】
次のステップは、運動中の患者の最適なＡＶ遅延を決定することである。プロセッサ５は、患者が運動することをシミュレートするために上昇した心拍数（例えば、１００乃至１１０ｂｐｍ）まで患者１の心拍数を高めるようにペースメーカー２（心房ペーシング（atrially pacing）を継続する）を調節する。次いで、プロセッサ５は、上述した同様の手法において、上昇した心拍数で患者１の最適なＡＶ遅延を決定する。
【００５２】
ペースメーカーのための予測される最適なＡＶ遅延は、上昇した心拍数で心房ペーシングの間に決定された最適なＡＶ遅延から心房ペーシングの間に安静時心拍数で決定された最適なＡＶ遅延を引き（minus）、安静時心拍数でＰ同期ペーシングの間に決定された最適なＡＶ遅延を加える（plus）計算によって、計算される。この手法において、シミュレートされた運動の間に決定された最適なＡＶ遅延は、患者１の検知（信号）とペーシング（信号）の差を考慮するために修正される。
【００５３】
最終的に、プロセッサ５は、運動中のＰ同期ペーシングのために予測されている、最適なＡＶ遅延にペースメーカー２を調節する。
【００５４】
上述した実施態様において、プロセッサ５は患者１の外部にある。しかしながら、代わりの実施態様において、プロセッサ５は、植え込まれたペースメーカー２内に組み込まれる。これらの実施態様において、ＡＶ遅延の最適化の処理中に、患者１の血圧はフィナプレス３を用いてモニターされ、フィナプレス３によって生成された信号は、トランスミッタ６を介して、患者１内のプロセッサ５に通信（伝達）される。
【実施例】
【００５５】
実施例１
これは仮説的な実施例であり、なぜペーシングのＡＶ最適値（the paced AV optimum）が検知（センシング）のＡＶ最適値（the sensed AV optimum）よりも長いかを例示するものである。（心臓の）左側のＡＶ遅延は、心拍出量及び全身血行動態に支配的な影響を及ぼす。
【００５６】
図３ａは、最適な検知（センシング）のＡＶ遅延（optimal sensed AV delay）の仮説的な実施例の血圧対時間のグラフを示す。（心臓の）左側のＡＶ遅延は、全身血行動態の影響に最も重要であると思われる。この実施例において、最適な全身血行動態をもたらす（心臓の）左側のＡＶ遅延は、１１０ｍｓである。これが心房センシングによって為される場合、心房センシング遅延（ここでは３０ｍｓ）及び心房内遅延（ここでは７０ｍｓ）を考慮にいれることが必要である。この仮説的患者は、したがって、１１０＋７０−３０＝１５０ｍｓの検知（センシング）のＡＶ遅延（sensed AV delay）を必要とする。
【００５７】
図３ｂは、プログラムされた（信号の）ペーシングのＡＶ遅延（paced AV delay programmed）による、検知（センシング）のＡＶ遅延（sensed AV delay）（この場合は１５０ｍｓ）と同じ値に対応する、グラフを示す。これは、同一の（心臓の）左側のＡＶ遅延を生じない。心房ペーシング・レイテンシー及び長い心房内遅延は、検知（センシング）及びペーシングＡＶ遅延が異なった（心臓の）左側のＡＶ遅延（複数）に結果としてなることを意味する。同一のＡＶ遅延がペーシングのＡＶ遅延のためにプログラムされると、次いで、この結果は、最適でない（心臓の）左側のＡＶ遅延（この実施例では４０ｍｓ）となる。この違いは、心房ペーシング・レイテンシー（ここでは２０ｍｓ）の結果として生じ、右と左の心房間を移動する心房信号のためにとられるより長い時間は、より長い心房内遅延（ここでは９０ｍｓ）として現れる。ここで、（心臓の）左側のＡＶ遅延は、１５０−２０−９０＝４０ｍｓである。
【００５８】
図３ｃは、最適な検知（センシング）のＡＶ遅延（図３ａに示されるように）に関して、同一の（心臓の）左側のＡＶ遅延をプログラムするため、より長いペーシングのＡＶ遅延がプログラムされた（この場合２２０ｍｓ）、対応するグラフを示す。すなわち、最適な（心臓の）左側のＡＶ遅延を得るため、ペーシングのＡＶ遅延は、心房ペーシング・レイテンシー及びより長い心房内遅延を考慮するために、より長い値（遅延時間）にプログラムされる。この仮説的患者は、１１０＋９０＋２０＝２２０ｍｓのプログラムされたペーシングのＡＶ遅延（programmed paced AV delay）を必要とする。
【００５９】
実施例２
患者ないし被検者
臨床的適応（ＮＹＨＡ  ＩＩＩ又はＩＶ心不全、ＱＲＳ＞１２０ｍｓ、最大限の内科治療）のために両室ペースメーカー又は両室除細動器を植え込まれた２０人の外来患者が研究に登録された。同調律（sinus rhythm）でない者、ペーシング依存の者、又は、トレッドミル（treadmill）上を歩行できなかった患者は除外された。
【００６０】
測定
データ取得
非侵襲性の指動脈圧測定は、フィノメータ（Finometer）（Finapres Medical Systems, Amsterdam, Holland）を用いて行われた。ペナズ（Penaz）（参考文献６）及びウェセリング（Wesseling）（参考文献７）により開発された、この技術は、指の周りに配置されるカフ、ビルトイン・フォトエレクトリック・プレチスモグラフ（built-in photoelectric plethysmograph）、及び、動脈圧に動的に従うボリュームクランプ回路（volume-clamp circuit）を使用する。この技術は、血圧の瞬間的な変化を測定するために十分に確証される。（参考文献８、９、１０、１１、１２）
【００６１】
ＥＣＧ信号も記録された。これらの信号は、改造開発のソフトウェアを用いて、アナログ・デジタル変換カード（National Instruments, Austin, TX）（参考文献１３）を介して獲得され、マットラボプラットフォーム（Matlab platform）（MathWorks, Natick, MA）に基づく更なる改造ソフトウェアによりオフラインで分析された。
【００６２】
異なるＡＶ遅延に亘る血圧の相対変化の測定
心拍から心拍へ亘る（beat-to-beat）血圧は、患者ないし被検者の両室ペースメーカーのＡＶ遅延の調節の間に記録された。上述したように、血圧トレース（trace）におけるバックグラウンドノイズの影響は、収縮期血圧（ＳＢＰｒｅｌ）における相対変化を計算することによって減じられた。これは、参照ＡＶ遅延に対する各トランジションないし移行（transition）を比較し、各ＳＢＰｒｅｌに少なくとも６つの反復測定を得る複数のオルターネーション（alternations）を実行することによってなされた。これら（の比較や実行）は、各試験された遅延ごと、平均ＳＢＰｒｅｌを獲得するために組合された。ＳＢＰｒｅｌは、ＡＶ遅延の範囲（４０、８０、１２０、１４０、１６０、２００、２４０ｍｓであった）において上述の手法で測定されて、この手順（sequence）は固有（内因性）の伝導が生じたときに停止した。心室間遅延は０ｍｓのままであったか、又は、ペースメーカーの許容値と同じくらい近似であった。
【００６３】
ＡＶ遅延最適化の手順
患者がソファに座って安静にしている間に、最初に最適化が実行された。この安静状態において、ＡＶ遅延の血行動態の最適化は３つの異なる条件で実行されて、それら３つの条件は、安静時心拍数でのＰ同期ペーシング、患者の安静レートより５ｂｐｍ高いレートでの心房ペーシング、及び１００ｂｐｍの心拍数での心房ペーシングであった。次いで、患者はトレッドミル上で運動を行い、運動負荷が患者の心拍数を１００と１１０ｂｐｍ間で維持するように調整され、Ｐ同期ＡＶ遅延（P-synchronous AV delay）が調節された。
【００６４】
各試験手順（test sequence）において、ＡＶ遅延は上述の手順で変更されて、内因性の伝導が生じた場合に停止された。
【００６５】
安静時のペーシングにより運動中における最適なＡＶ遅延を予測するための方法
個々の患者で、ＡＶ遅延最適化中に同定される最適なＡＶ遅延は、最適化が安静時又は運動中のいずれかで実行されるかに依存して異なる。安静時での運動の最適なＡＶ遅延（exercise optimal AV delay）を同定するために、心拍数が心房ペーシングによって運動レベルまで増大されて、心房刺激（ペーシング）のＡＶ遅延（atrial paced AV delay）とＰ同期ＡＶ遅延との間の差、いわゆる、“検知（信号）とペーシング（信号）の差”のための調節がなされた。
【００６６】
“検知（信号）とペーシング（信号）の差”は、患者の安静時の心拍数より５ｂｐｍ高いレートでの心房ペーシングの間に決定された最適なＡＶ遅延と、安静時の心拍数におけるＰ同期ペーシング中に決定された最適なＡＶ遅延との間の差を決定することによって計算された。
【００６７】
次いで、“検知（信号）とペーシング（信号）の差”は、１００ｂｐｍの心拍数での心房ペーシングの間に決定された、最適なＡＶ遅延から減じられた。これは、運動中に決定される最適なＡＶ遅延の予測を我々に与えた。
【００６８】
要約すると、最適の運動のＡＶ遅延（optimum exercise AV delay）は、下記式を用いて決定された。
【００６９】
運動の最適なＡＶＤ＝ｏｐｔＡＶＤap100bpm−（ｏｐｔＡＶＤaprr−ｏｐｔＡＶＤpsynchrr）
ｏｐｔＡＶＤap100bpm：１００ｂｐｍのレートでの心房ペーシングの間に決定される最適なＡＶ遅延。
【００７０】
ｏｐｔＡＶＤaprr：患者の固有の内因性のレートより５ｂｐｍ高いレートでの心房ペーシングの間に決定される最適なＡＶ遅延。
【００７１】
ｏｐｔＡＶＤpsynchrr：固有のレートでのＰ同期ペーシング中に決定される最適なＡＶ遅延。
【００７２】
図４は、安静時及び上昇した心拍数におけるＰ同期及び心房ペーシングを受ける患者の血圧に対するＡＶ遅延のグラフの個々の患者における実施例を示す。運動の最適なＡＶ遅延を予測するためのペーシングモデルを用いて、計算は下記に示す。
【００７３】
予測されるＯｐｔ．ｅｘＡＶＤ＝２００−（１６９−９７）＝１２８ｍｓ
認識されるように、１２８ｍｓの最適な運動ＡＶ遅延の予測は、１２２ｍｓの測定された最適なＡＶ遅延と好ましく相関する。
【００７４】
統計
ＳＢＰrel値は、少なくとも６人の個人のトランジションないし変化から観察された血圧変化の平均をとることによって参照ＡＶ遅延（１２０ｍｓ）及びＶＶ遅延（０ｍｓ）に連関するＡＶ及びＶＶ遅延の各試験された組合せにおいて決定された。対応づけた比較（paired comparisons）は、スチューデントの対応づけたｔ検定（Student' s paired t test）を用いてなされた。比率の比較は、フィッシャーの正確確立検定（Fisher's exact test）を用いてなされた。Ｐ値＜０．０５は、統計的に有意ないし重要であるように得られた。統計パッケージＳｔａｔｖｉｅｗ５．０（ＳＡＳ  Ｉｎｓｔｉｔｕｔｅ  Ｉｎｃ．，Ｃａｒｙ，ＮＣ）が分析のために用いられた。
【００７５】
結果
患者の特徴
移植後平均１２ヶ月の両室ペースメーカー又は両室ＩＣＤのペースメーカーを備える２０名の患者が研究に登録された。１１名が男性、９名が女性で、年齢の幅は４６−７９歳であった（平均６８．５歳）。心不全の原因は１１名が虚血で、９名が特発性拡張型であった。血圧計による平均の収縮期血圧は、１１６．４±１８．３ｍｍＨｇであった。研究時の患者の平均駆出率（ejection fraction）は、３０±４．９％であった。研究時の１名の患者はＮＹＨＡクラスＩで、１３名の患者はＮＹＨＡクラスＩＩで、６名の患者はＮＹＨＡクラスＩＩＩであった。患者は、地域の倫理委員会の承認を得た、この研究のための告知に基づく同意をした。
【００７６】
血行動態応答の放物線形状
高い心拍数及び低い心拍数において、心房ペーシング又はＰ同期ペーシングによるＡＶ遅延を変化させる影響は、線形というよりはむしろ曲線形で、放物線に近似する。したがって、試験系（series）ごとに、ピークのＡＶ遅延を同定する放物線補間（parabolic interpolation）を使用することが可能であった（図５）。１００−１１０ｂｐｍ間の心拍数による運動中、１００ｂｐｍでの心房ペーシング中、安静時でのＰ同期ペーシング中、安静時より５ｂｐｍ高いレートでの心房ペーシング中のＡＶ遅延の最適化における血行動態応答曲線（haemodynamic response curves）が示される。
【００７７】
Ｐ同期ペーシングによる安静時の心拍数において、ＡＶ遅延の変化に対する応答曲線は、０．７７の放物線へのあてはめ（ないしプロット、fitting）に対し平均（mean）Ｒ２を有し、放物線から離れた平均残差（誤差分散）は、単に、０．８ｍｍＨｇ２だけであった。安静時の心拍数よりも５ｂｐｍ高いレートでの心房ペーシングに対し、Ｒ２は０．９であり、残差は１．７ｍｍＨｇ２であった。Ｐ同期ペーシングによる運動中、Ｒ２は０．８であり、残差は１．９ｍｍＨｇ２であった。一方、１００ｂｐｍでの心房ペーシングの間、Ｒ２は０．９であり、残差は４ｍｍＨｇ２であった。
【００７８】
血行動態ピークの同定
血圧の連続する非侵襲性測定を用いて、心房ペーシング及びＰ同期ペーシングにより、安静時とより高い心拍数のいずれでも、すべての患者の明らかな血行動態の最適なＡＶ遅延を同定することが可能であった。すべての患者はトレッドミル上を歩行し、心拍数を１００と１１０ｂｐｍ間まで上昇することが可能であったが、一部の患者では、検査された異なったＡＶ遅延の間で患者を安静にさせるために、運動の最適化を段階的に実行することが必要であった。
【００７９】
最適であるように同定されたＡＶ遅延は、個々の患者に対して特異的であった。Ｐ同期ペーシングと比較して、心房ペーシングの間に決定されたとき、最適にプログラムされたＡＶ遅延は、平均してより長かった。これは、低い心拍数と、高い心拍数のいずれの場合でもそうであった。１００ｂｐｍでの心房ペーシング中の平均最適なＡＶ遅延は１８３ｍｓ（範囲２４０−１４０ｍｓ）であった；１００ｂｐｍの心拍数での運動中のＰ同期ペーシングでは、平均１２５ｍｓ（範囲２００−８０ｍｓ）であった；安静時のレートよりも５ｂｐｍ高いレートでの心房ペーシングでは平均１８２ｍｓ（範囲２４０−１４０ｍｓ）であった；そして安静時心拍数でのＰ同期ペーシングでは平均１２７ｍｓ（範囲２００−８０ｍｓ）（表１）であった。
【００８０】
二次補間された最適なＡＶＤ（ｍｓ）
【００８１】
【表１】
0005410272.tif 000002
表１．４つの異なるペーシング状況の夫々において個々の各患者に最適であるように同定されたＡＶ遅延
個々の各患者のために二次補間（quadratic interpolation）を用いて最適であるように同定されたＡＶ遅延が、１００−１１０ｂｐｍの心拍数による運動中の最適化、１００ｂｐｍでの心房ペーシング間の最適化、安静時心拍数でのＰ同期ペーシング中の最適化、及び安静心拍数よりも５ｂｐｍ高いレートでの心房ペーシング間の最適化において示される。予測された最適な運動のＡＶ遅延（運動の最適なＡＶＤ＝ｏｐｔＡＶＤap100bpm−（ｏｐｔＡＶＤaprr−ｏｐｔＡＶＤpsynchrr））が示され、実際の運動と予測された運動との間の差が、安静時と運動時でのＰ同期の最適化における差と同様に、示される。平均及び標準偏差が示される。
【００８２】
ペーシングモデルと運動の比較
安静時におけるペーシングモデルとＰ同期ペーシングとにおいて同定された最適なＡＶ遅延における平均値が運動中に同定された最適なＡＶ遅延とは著しく（有意に）異ならず、個々の患者内では、ペーシングモデルは近接した相関を示す。
【００８３】
安静時のペーシングモデルは、運動中に同定された最適なＡＶ遅延と十分相関し、Ｒ２＝０．８８、差の標準偏差は１２．２ｍｓである。それに対して、Ｐ同期ペーシングによる安静時に同定された最適なＡＶ遅延は運動により芳しくない（poorer）相関を示し、Ｒ２＝０．５７、差の標準偏差は１２ｍｓである。
【００８４】
運動中に同定された最適なＡＶ遅延と、安静時のペーシングモデルを用いる予測された運動の最適値との比較が図６に示される。運動中に最適化を実行することによって決定された実際の最適なＡＶ遅延と、安静時のペーシングモデルを用いて決定された予測の最適なＡＶ遅延との間には強い相関がある。これは、患者が運動をせずとも、最適な運動のＡＶ遅延の予測が可能であることを意味する。
【００８５】
プログラムされたＡＶ遅延を選択する安静時のペーシングモデルとＰ同期ペーシングを用いる血行動態の結果
プログラムされたＡＶ遅延を選択する安静時のペーシングモデル又はＰ同期ペーシングのいずれかを用いて、運動中の血行動態の結果を評価するために、ＳＢＰｒｅｌでの変化が、個々の各患者の運動血行動態の放物曲線における実際の運動の最適値（actual exercise optimum）から計算された。
【００８６】
運動中（ｐ＝ＮＳ）に同定された実際のＡＶ遅延と比較して、運動の最適なＡＶ遅延を選択する安静時ペーシングモデルを用いるとき、ＳＢＰｒｅｌに平均０．２ｍｍＨｇ（±０．５ｍｍＨｇ）の差があったが、一方、Ｐ同期ペーシング（ｐ＝０．０４６）による安静時心拍数で最適化を実行することによってピークＡＶ遅延を選択するとき、ＳＢＰｒｅｌに１．１ｍｍＨｇ（±２．２ｍｍＨｇ）の減少があった。
【００８７】
議論
この研究は、運動中に最適化を実行させるＣＲＴ装置のＡＶ遅延の最適化のための方法を実証する。第二に、この研究は、ＡＶ遅延における変化に対する血行動態応答が線形よりもむしろ曲線形であり、低い心拍数及び上昇した心拍数のいずれでも放物線に近似して（あてはまって）適応することを示す。第三に、この研究は、Ｐ同期ペーシングによる安静時心拍数での最適化が、運動の最適値と十分合理的に相関するＡＶ遅延を選択することを示す。第四に、この研究は、運動との相関性が、安静時での運動のためのペーシングモデルを用いることによって実質的に改善できることを示す。最後に、このペーシングモデルを使用することによって、患者は、安静時心拍数でのＰ同期ペーシングによる標準的な最適化よりも著しい血行動態の改善を得る。
【００８８】
運動中にＡＶ遅延を選択するときの安静時でのペーシングモデル又はＰ同期最適化を用いる血行動態の結果
急性的な血圧変化の０．９ｍｍＨｇの差は、心機能における実質的な差を表す。
【００８９】
両室ペーシングの開始は、以前の侵襲性研究における急性大動脈収縮期パルス血圧（acute aortic systolic pulse pressure）で２ｍｍＨｇの平均の増大（a mean increase）になる。これは、装置での治療群（device arm）に登録された患者の症状及び生存率の改善と共に、血圧の増大を示した、心臓再同期療法によるランドマーク的な治験（landmark trial）と一致する。例えば、コンパニオン（ＣＯＭＰＡＮＩＯＮ）治験において、再同期治療群（resynchronisation arm）の患者は、初期に、収縮期血圧でほぼ２ｍｍＨｇ（非公表の信頼区間（confidence interval））を得て（対照治療群（control arm）と比較）、罹患率（ないし病的状態）と死亡率を複合したエンドポイント（endpoint）で１８％の相対的減少（９５％信頼区間１％増大‐４２％減少）を有し続けた。（参考文献１４）同様に、Care-HF治験では、３ヶ月で、装置での治療群に起因される血圧の増加は、５．８（９５ＣＩ（信頼区間）：３．５対８．２）ｍｍＨｇであり、死亡率の減少は３７パーセント（９５％ＣＩ（信頼区間）：２３対４９）であった。（参考文献１５）
【００９０】
横断的観察（cross-sectional observational）データは、慢性心不全による外来患者において、収縮期血圧が１ｍｍＨｇ低下するごとに、死亡率で４％（９５％信頼区間、３％対５％）の相対的な増加を暗示する。（参考文献１６）
【００９１】
これは、もし患者のＡＶ遅延の最適化が、患者が運動するとき（ほとんどの患者に症状が現れるとき）における最も可能なＡＶ遅延を提供するように適合されるのであれば、患者の心再同期装置から患者が重要で付加的な利益を得ることを示す。
【００９２】
結論
血圧の平均相対変化を計算する急性的な非侵襲性血行動態を用いて、患者が運動をする間に心再同期装置のＡＶ遅延を最適化することが可能である。Ｐ同期ペーシング中の安静時心拍数での最適化は、運動中に同定される最適値と相関する。しかしながら、安静時ペーシングモデルを用いて、この相関性は、実質的に改善でき、この改善は個々の患者にとって重要な急性的な血行動態の利益を有する。
【００９３】
参考文献（REFERENCES）
0005410272.tif 000003
0005410272.tif 000004
【図面の簡単な説明】
【００９４】
【図１】本発明の一実施態様と一致する、ペースメーカープログラミング機器の概略図である。
【図２】ＡＶ遅延がプログラムされたＰ波同期であるか、又は心房がペーシングされているかどうかに依存して、（心臓の）左側のＡＶ遅延に利用可能な時間の変化を示すグラフである。
【図３】仮説的実施例で、ａ）最適なセンシング（optimal sensing）ＡＶ遅延；ｂ）１５０ｍｓに設定されたペーシングの（padec）ＡＶ遅延；及びｃ）最適なペーシングの（optimal paced）ＡＶ遅延における時間に対する血圧を示す一セットの模式的グラフを示す。
【図４】運動時の最適なＡＶ遅延（exercise optimal AV delay）を予測するためのペーシングモデルで使用される方法の個々の患者の実施例を提供する４つのグラフを示す。
【図５】個々の患者で得られた血行動態応答曲線の実施例を提供する４つのグラフを示す。
【図６】運動中に同定された最適なＡＶ遅延と、安静時のペーシングモデルを用いる予測された運動時の最適値（the predicted exercise optimum）との比較を示すグラフである。
【符号の説明】
【００９５】
１  患者
２  両室ペースメーカー
３  フィナプレス
４  人差し指
５  プロセッサ
６  トランスミッタ
【図１】
0005410272.tif 000005
【図２】
0005410272.tif 000006
【図３】
0005410272.tif 000007
【図４】
0005410272.tif 000008
【図５】
0005410272.tif 000009
【図６】
0005410272.tif 000010